(57)【特許請求の範囲】
【請求項１】
受信した各種情報を利用者に通知する端末装置において、ディーリング業務用データを受信する受信手段と、該受信手段の受信データを記憶する記憶手段と、該記憶手段により記憶した受信データを編集する編集手段と、上記記憶手段の記憶した受信データ及び上記編集手段で編集した編集データを利用者にリアルタイムで通知する通知手段と、上記受信した受信データの価格の高安をグラフ化する際に、前日終値を前記グラフの目盛に示すセンタタイトルの値に任意の倍率をかけ、倍率をかけた値が売買単位でないとき、前記売価単位で切り上げを行い、前記グラフの目盛の最大値を示す高値タイトルを設定する設定手段を有することを特徴とする情報端末装置。
【請求項２】
請求項１記載の情報端末装置であって、前記設定手段は、センタタイトル値から高値タイトルとセンタタイトルの差異を引いて前記グラフの目盛の最小値を示す安値タイトルを求めることを特徴とする情報端末装置。
【請求項３】
前記請求項１記載の端末装置において、受信した価格データ又は出来高データをグラフ化する際に、データを受信した時に表示されている前記グラフの出来高タイトルの目盛に収まらない値を受信した場合、前記グラフの出来高タイトルに対して任意の倍率の圧縮をかけ、前記受信した値の表示を行うことを特徴とする情報端末装置。
【請求項４】
請求項３記載の情報端末装置において、一度の圧縮で収まらないときは、繰り返し圧縮を行うことを特徴とする情報端末装置。
【発明の詳細な説明】
【０００１】
【産業上の利用分野】
本発明は、株式相場、商品相場、債券相場、為替相場などのディーリング業務用データを受信して、各種の値段データを利用者に通知する情報端末装置に係わる。
【０００２】
【従来の技術】
従来の情報端末装置を利用した情報伝達システムは、図１１の構成ブロック図に示すように、全国の証券取引所で刻々と変化する株価や、各種ニュース等の情報をコンピュータ処理するコンピュータセンタ１と、該コンピュータセンタ１での処理結果を各地の利用者へ配信する通信回線２と、利用者の近傍に設置され、配信された株価等の情報を通知する情報端末装置３と、通信回線２の途中にあってコンピュータセンタ１から受信したデータを中継するとともに入力回線の信号を複数の出力回線に分岐する分岐装置４とから構成されている。
【０００３】
上記情報伝達システムにおける従来の情報端末装置は、図１２のブロック図に示すように、センタから送られてくる株価情報等を受信する受信手段２１と、情報を表示する表示部２２と、受信手段２１で受信した情報を編集して表示部２２へ送る制御部２３と、コード入力等を行うキーボード２４とから構成されている。
【０００４】
【発明が解決しようとする課題】
上記構成の従来の情報端末装置では、受信手段２１で受信された株価情報等が制御部２３において編集加工され、リアルタイムで表示部２２に表示されるが、編集加工において、価格の高安等をグラフ化する際、データがスケールからはみ出して不連続なグラフになったり、利用者はこのグラフデータがスケールからオーバした場合に手動でスケールを変更する必要があるといった欠点があった。
【０００５】
本発明の目的は、上記従来の情報端末装置で価格グラフ、出来高グラフ等を表示する際の欠点を除去し、自動的にグラフのスケールを変更設定して表示することができ、利用者の手を煩わせることなく、連続したグラフ表示を可能とする情報端末装置を提供することにある。
【０００６】
【課題を解決するための手段】
上記目的は、受信した各種情報を利用者に通知する端末装置において、ディーリング業務用データを受信する受信手段と、該受信手段の受信データを記憶する記憶手段と、該記憶手段により記憶した受信データを編集する編集手段と、上記記憶手段の記憶した受信データ及び上記編集手段で編集した編集データを利用者にリアルタイムで通知する通知手段と、上記受信した受信データの価格の高安をグラフ化する際に、前日終値を前記グラフのメモリに示すセンタタイトルの値に任意の倍率をかけ、倍率をかけた値が売買単位でないとき、前記売価単位で切り上げを行い、前記グラフの目盛の最大値を示す高値タイトルを設定する設定手段を有すること、によって達成される。
【０００７】
また、上記目的は、前記情報端末装置において、前記設定手段は、センタタイトル値から高値タイトルとセンタタイトルの差異を引いて前記グラフの目盛の最小値を示す安値タイトルを求めること、によって達成される。
【００１０】
また、上記目的は、端末装置において、受信した価格データ又は出来高データをグラフ化する際に、データを受信した時に表示されている前記グラフの出来高目盛に収まらない値を受信した場合、前記グラフの出来高タイトルに対して任意の倍率の圧縮をかけ、前記受信した値の表示を行うこと、によって達成される。
【００１１】
また、上記目的は、前記情報端末装置において、一度の圧縮で収まらないときは、繰り返し圧縮を行うことによって達成される。
【００１２】
【作用】
上記本発明の情報端末装置によれば、受信した受信データの価格の高安をグラフ化する際に、センタタイトル値に任意の倍率をかけ、倍率をかけた値が売買単位でないとき、前記売価単位で切り上げを行い高値タイトルを設定するようにしたので、高値の価格タイトルを補正することができる。
【００１３】
また、前記設定手段が、センタタイトル値から高値タイトルとセンタタイトルの差異を引いて安値タイトルを求めることにより、安値の価格タイトルを補正することができる。
【００１４】
また、受信したデータが受信中の表示スケールをオーバーしたときに、前置高値タイトルまたは安値タイトルを求め、グラフデータを表示することにより、高値及び安値の価格タイトルを補正することができ、更に、終値データを受信したときに前記高値及び安値の価格タイトルを補正することにより、終値の高値及び安値の価格タイトルを補正することができる。
【００１５】
また、受信した価格データ又は出来高データをグラフ化する際に、データを受信した時に表示されているスケールに収まらない値を受信した場合、価格タイトルに対して任意の倍率の圧縮をかけ、前記受信した値の表示を行うことにより、圧縮した価格タイトルを表示することができ、更に一度の圧縮で収まらないときは、繰り返し圧縮を行うことにより、適宜なサイズで価格タイトルを表示することができる。
【００１６】
【実施例】
以下本発明の一実施例について図面を参照しながら説明する。
図１は、本発明の一実施例に係わる情報端末装置の構成ブロック図である。データ受信手段１１により、受信したデータを受信データ記憶手段１２により記憶する。記憶した受信データがグラフの対象外であった時は記憶更新手段１６で更新しながらデータ編集手段１７により編集し、通知手段１８によりデータ表示して利用者へ通知する。
【００１７】
一方上記データ記憶手段１２に記憶した受信データがグラフの対象であった時は、グラフ初期スケール設定手段１３により設定されているグラフ上にデータを更新する。この時、グラフデータ判定手段１４により、受信データが初期スケール内に収まるかを判定し、収まる場合はそのままグラフに受信データを更新する。また、グラフデータ判定手段１４の判定で収まらない場合は、グラフスケール変更手段１５によりグラフスケール、及びグラフデータともに圧縮し、全グラフデータがグラフスケール内に収まるように変更して更新する。その後、データ編集手段１７により編集し、通知手段１８に従いデータ表示により利用者に通知する。
【００１８】
電文受信からの処理（スケール変更処理を含む）の流れを図２に示す。価格タイトル変更の処理の流れを図３に示す。
【００１９】
以下に具体的実施例を示す。
１．日中足  高安チャートの処理
（日中足 高安チャート：１日の取引を単位時間に分け、その中の高安範囲をグラフで示す。通常、単位時間は５〜１０分。ここでは５分として説明する。）
（１）初期設定
前日終値データ受信時、グラフの初期スケールおよび価格タイトルを設定する。設定方法は予め登録されている初期比率を前日終値に乗じてスケールおよび高安の価格タイトルを設定する。
【００２０】
【表１】
0003648716.tif 000002
【００２１】
表１に初期比率例を示す。株式、債券などの証券種別毎に価格変動率が異なるために各証券種別毎に初期比率を設定できるようにする。
【００２２】
株式のＡ銘柄で前日終値データとして１４００円を受信した時の価格タイトルは、
高値タイトル＝１４００×１．０２＝１４２８
センタタイトル＝前日終値＝１４００
安値タイトル＝１４００×０．９８＝１３７８
となるが、株式は１０００円以上では１０円単位、１００００円以上では１００円単位と取引の単位が決まっているため、この単位に合うよう価格タイトルの補正を行う。
【００２３】
高値タイトル＝１４２８１＝１４３０
センタタイトル＝１４００（そのまま）
安値タイトル＝１４００−（１４３０−１４００）＝１３７０
この時の表示状態を図４に示す。また、株式の値段幅毎の売買単位を表２に示す。
【００２４】
【表２】
0003648716.tif 000003
【００２５】
（２）グラフデータ更新
受信した価格データ（現在値データ）とデータに付加されている時刻でグラフを更新する。前記Ａ銘柄に関し、以下に▲１▼〜▲４▼のデータを受信した場合の処理を示す。
【００２６】
▲１▼１３９０（９：０１）、▲２▼１４１０（９：０３）、▲３▼１４００（９：０５）、▲４▼１４２０（９：０７）、▲１▼の電文を受信すると、値段１３９０円なので、初期設定のスケールに収まる。時刻が９：０１なので、９：００〜９：０４の領域にデータを書込み表示する。
【００２７】
▲２▼の電文を受信すると、値段１４１０円なので、初期設定のスケールに収まる。時刻が９：０３なので、９：００〜９：０４の領域にデータを書込み表示する。この時、▲１▼のデータとの差分をベタ塗りした形で表示する。
【００２８】
▲３▼の電文を受信すると、値段１４００、時刻９：０５なので９：０５〜９：０９の領域にデータを書込み表示する。▲４▼の電文も同様な処理となる。この時の表示状態を図５に示す。
【００２９】
（３）スケールの変更
初期設定のスケールに収まらないデータを受信した場合の処理を以下に示す。前記の状態で、１４４０（９：０８）の電文を受信したとする。１４４０は、初期スケールの上限である１４３０よりオーバしているため、このままではグラフを表示できない。このため、価格タイトルに対し、８０％の圧縮を行い、スケールを変更する。
前記表１の比率を８０％で除算した値で価格タイトルを再計算する。２回目以降の圧縮も同様処理となる。
【００３０】
ｎ回圧縮後の比率＝前日終値に対する初期比率／（０．８）ｎ
前記１４４０（９：０８）の電文を受信すると、
高値タイトル＝１４００×１．０２５＝１４３５↑（補正）＝１４４０
センタタイトル＝１４００（そのまま）
安値タイトル＝１４００−（１４４０−１４００）＝１３６０
と、価格タイトルを再計算しグラフデータを表示する。この時の表示状態を図６に示す。
【００３１】
２．日中足  出来高チャートの処理
（日中足 出来高チャート：１日の取引を単位時間に分け、その中の出来高をグラフで示す。通常、単位時間は５〜１０分。ここでは５分として説明する。）
（１）初期設定
予め設定している初期設定値に従い、出来高タイトルを設定する。初期設定値例を表３に示す。
【００３２】
【表３】
0003648716.tif 000004
【００３３】
株式、債券などの証券種別毎に出来高単位が異なるために、各証券種別毎に初期設定値を設定できるようにする。
株式のＡ銘柄で出来高データを受信する前は、表３に従いスケールは１０、単位は（千株）となる。この時の表示状態を図７に示す。
【００３４】
（２）グラフデータ更新
受信した出来高データとデータに付加されている時刻によりグラフを更新する。前記Ａ銘柄に対し以下に▲１▼〜▲４▼のデータを受信した場合の処理を示す。通常、出来高データは累積数値となるので単位時間毎の出来高を計算する。
【００３５】
▲１▼３０００（９：０１）、▲２▼５５００（９：０３）、▲３▼１００００（９：０５）、▲４▼１３０００（９：０７）、
▲１▼の電文を受信すると、出来高３０００なので初期設定スケールに収まる。時刻が９：０１なので、９：００〜９：０４の領域に書込み、表示する。また、以降の計算用に３０００を記憶する。
【００３６】
▲２▼の電文を受信すると、出来高５５００で時刻９：０３なので、▲１▼との差額（５５００−３０００＝２５００）を計算し、その２５００を９：００〜９：０４の領域に書込み表示する。また、以降の計算用に５５００を記憶する。
【００３７】
▲３▼の電文を受信すると、出来高１００００で時刻９：０５なので、▲２▼との差額（１００００−５５００＝４５００）を計算し、その４５００を９：０５〜９：０９の領域へ書込み表示する。また、以降の計算用に１００００を記憶する。
【００３８】
▲４▼の電文も同様な処理となる。この時の表示状態を図８に示す。
【００３９】
（３）スケールの変更
初期設定のスケールに収まらないデータを受信した場合の処理を以下に示す。前記の状態で、１７０００（９：０８）の電文を受信したとする。この電文により、９：０５〜９：０９の出来高は１１５００となり初期スケールをオーバし、グラフを表示できない。このため、価格タイトルに対し、５０％の圧縮を行いスケールを変更する。
【００４０】
前記銘柄Ａの例では、初期出来高タイトル１０（千株）を圧縮し２０（千株）となる。５０％圧縮してもスケールに収まらない時は、必要回数圧縮を繰り返す。この時の表示状態を図９に示す。
【００４１】
前記銘柄Ａに関し、９：０８の値段データ、出来高データを受信した時の表示状態を図１０に示す。
【００４２】
【発明の効果】
以上のように本発明の情報端末装置によれば、新たな受信データおよび編集データを利用者に通知するようにしているので、刻一刻変化する株式の価格、出来高などの数値データを利用者にリアルタイムで通知することができ、利用者のディーリング業務での判定材料とすることができ、また価格データの高安または出来高を単位時間毎にグラフ化して、利用者に通知するので、株式などの価格の推移を一目で利用者に通知することができ、また価格の高安または出来高をグラフ化する際に自動でスケールを利用者に通知するので、グラフデータが初期スケールよりオーバした場合、利用者が手動でスケールを変更することは不要となり、あるいはスケールからデータがはみ出て不連続なグラフとなるのを防ぐ効果がある。
【００４３】
さらに、株式の場合、株式の売買単位で価格タイトルを変更するので、株式の売買単位にない価格タイトルとなるのを防ぐ効果がある。
【図面の簡単な説明】
【図１】本発明の一実施例に係わる情報端末装置の構成ブロック図である。
【図２】本発明の電文受信後の処理の流れ図である。
【図３】本発明の価格タイトル変更に係わる処理の流れ図である。
【図４】株式の価格タイトル補正に係わる表示例である。
【図５】株式の高安チャートの表示例である。
【図６】株式の価格タイトルスケール変更の表示例である。
【図７】株式の出来高タイトルの表示例である。
【図８】株式の出来高チャートの表示例である。
【図９】株式の出来高タイトルスケール変更の表示例である。
【図１０】株式の日中足チャートの表示例である。
【図１１】情報伝達システムの構成ブロック図である。
【図１２】従来の情報端末装置の構成ブロック図である。
【符号の説明】
１…センタ、２…通信回線、３…情報端末装置、１１…受信手段、１２…データ記憶手段、１３…グラフ初期スケール設定手段、１４…グラフデータ判定手段、１５…グラフスケール変更手段、１６…記憶更新手段、１７…データ編集手段、１８…通知手段。
【図１】
0003648716.tif 000005
【図２】
0003648716.tif 000006
【図３】
0003648716.tif 000007
【図４】
0003648716.tif 000008
【図５】
0003648716.tif 000009
【図６】
0003648716.tif 000010
【図７】
0003648716.tif 000011
【図８】
0003648716.tif 000012
【図９】
0003648716.tif 000013
【図１０】
0003648716.tif 000014
【図１１】
0003648716.tif 000015
【図１２】
0003648716.tif 000016